(57)【要約】  【課題】一時保留手段26から移動する紙幣P2を紙幣収納部43内に確実に収納させる紙幣収納装置77を提供する。  【解決手段】紙幣収納部43上に収納レバー56を押圧姿勢とガイド姿勢との間で揺動可能に設ける。収納レバー56の押圧姿勢では、紙幣収納部43上に進出して紙幣P2の上面を押圧する。収納レバー56のガイド姿勢では、紙幣収納部43上から立ち上がって一時保留手段26から紙幣収納部43上に移動する紙幣P2をガイドする。紙幣収納時に、収納レバー56をガイド姿勢とし、一時保留手段26から紙幣収納部43上に移動する紙幣P2をガイドする。その後、押込み部材66を下降させて紙幣P2を一時保留手段26から紙幣収納部43上に押し込み、その状態で収納レバー56を押圧姿勢に戻し、紙幣P2を収納レバー56の下に取り込む。その後、セパレータ47を紙幣P2の上方へ移動させ、紙幣P2を紙幣収納部43内に収納する。  【選択図】図１
2006228094.tif 000002
【特許請求の範囲】
【請求項１】
紙幣を上下方向に集積状態に収納する紙幣収納部と、
前記紙幣収納部内の収納済み紙幣を載置して上向きに付勢する載置板と、
前記紙幣収納部内を上下方向に移動可能に設けられ、前記載置板上の収納済み紙幣の上面の両側端部を押圧して収納済み紙幣と収納前の紙幣を区分けする一対のセパレータと、
収納前の紙幣を集積状態に一時保留した後に前記紙幣収納部上へ移動させる一時保留手段と、
前記紙幣収納部の一対のセパレータが設けられる両側端部とは異なる側の両側端部を揺動軸として揺動可能でかつ軸方向には一対のセパレータとは干渉しない位置で複数に分割されて設けられ、前記紙幣収納部上に進出して紙幣の上面を押圧する押圧姿勢と紙幣収納部上から立ち上げられて前記一時保留手段から紙幣収納部上に移動する紙幣をガイドするガイド姿勢との間で揺動する一対の収納レバーと、
前記一対の収納レバーとは干渉しない位置で前記一時保留手段側から前記収納レバーの揺動域内に進出可能に設けられる押込み部材と、
紙幣収納時に、前記収納レバーをガイド姿勢にして前記一時保留手段から紙幣収納部上に移動する紙幣を受け入れ、前記押込み部材を前記収納レバーの揺動域内に進出させた後に前記収納レバーを押圧姿勢に戻して紙幣を収納レバーの下に取り込み、前記セパレータを収納前の紙幣の上方へ移動させてその紙幣を紙幣収納部内に収納させる制御手段と
を具備していることを特徴とする紙幣収納装置。
【請求項２】
紙幣収納部および収納レバーを設けたカセットを備え、収納レバーがガイド姿勢のときにカセットの上端から突出して一時保留手段との間に配置される
ことを特徴とする請求項１記載の紙幣収納装置。
【請求項３】
収納レバーは、押圧姿勢およびガイド姿勢を取る収納レバー部と、この収納レバー部がガイド姿勢を取るときに紙幣収納部上に進出して一時保留手段から紙幣収納部上に移動する紙幣を受け取るとともに収納レバー部が押圧姿勢に戻るときに受け取った紙幣をセパレータ上に移動させる受取レバー部とを有する断面略Ｌ字形に形成されている
ことを特徴とする請求項１または２記載の紙幣収納装置。
【発明の詳細な説明】
【技術分野】
【０００１】
本発明は、紙幣を紙幣収納部に収納させる紙幣収納装置に関する。
【背景技術】
【０００２】
従来、紙幣の入金処理を行う紙幣入金機や店舗用売上金入金機などでは、入金される紙幣を一時保留し、一時保留した紙幣を紙幣収納部に移動させて収納させる紙幣収納装置を用いている（例えば、特許文献１参照。）。
【０００３】
このような紙幣収納装置では、まず、図１１(a)(b)に示すように、一時保留部１内のシャッタ２上に紙幣3aを積層状態で一時保留する。そして、一時保留した紙幣3aの収納時に、図１１(c)(d)に示すように、一時保留部１のシャッタ２を開き、一時保留した紙幣3aを下方の紙幣収納部４上に自由落下させる。紙幣収納部４では、収納済み紙幣3bを図示しない載置板に載せて上方に付勢するとともにこの載置板上の収納済み紙幣3bの上面の両側端部位置を一対のセパレータ５で押圧しており、これら一対のセパレータ５によって収納済み紙幣3bと収納前の紙幣3aとを区分けする。図１１(e)(f)に示すように、一時保留部１側から押圧部材６を進出させて紙幣3aを下方へ押圧し、この状態で、図１１(g)(h)に示すように、セパレータ５を収納前の紙幣3aの上方へ移動させ、その紙幣3aを収納済み紙幣3bと合体させて収納する。
【特許文献１】特開昭６２−５６２５１号公報（第３−頁、第６図−第９図）
【発明の開示】
【発明が解決しようとする課題】
【０００４】
しかしながら、一時保留部１で集積状態に一時保留された紙幣3aを紙幣収納部４上に自由落下させるときや紙幣収納部４内に収納するときに、中間で折れ曲がった折れ紙幣3cや、一時保留部１の側壁に寄りかかるなどの集積状態が悪い紙幣3dがあると、これら紙幣3c，3dが紙幣収納部４外へ飛び出してしまい、紙幣収納部４内に正常に収納されない場合がある。
【０００５】
特に、コンビニエンスストアなどの小売店舗内に設置される店舗用売上金入金機では、売上金（店舗営業に余剰となったもの）を入金して収納し、収納した売上金は例えば売上金の回収業務を委託された警備会社の警備員などの収集特定者により回収して現金処理センタへ移送するようにしていて、売上金の管理を店舗側から警備会社側や現金処理センタ側などに移し、店舗側での売上金の管理責任の負担を軽減させるようにしているが、収納前の紙幣と収納後の紙幣とでは管理責任が異なるため、紙幣の収納ミスが問題となる。
【０００６】
本発明は、このような点に鑑みなされたもので、一時保留手段から移動する紙幣を紙幣収納部内に確実に収納させることができる紙幣収納装置を提供することを目的とする。
【課題を解決するための手段】
【０００７】
請求項１記載の紙幣収納装置は、紙幣を上下方向に集積状態に収納する紙幣収納部と、前記紙幣収納部内の収納済み紙幣を載置して上向きに付勢する載置板と、前記紙幣収納部内を上下方向に移動可能に設けられ、前記載置板上の収納済み紙幣の上面の両側端部を押圧して収納済み紙幣と収納前の紙幣を区分けする一対のセパレータと、収納前の紙幣を集積状態に一時保留した後に前記紙幣収納部上へ移動させる一時保留手段と、前記紙幣収納部の一対のセパレータが設けられる両側端部とは異なる側の両側端部を揺動軸として揺動可能でかつ軸方向には一対のセパレータとは干渉しない位置で複数に分割されて設けられ、前記紙幣収納部上に進出して紙幣の上面を押圧する押圧姿勢と紙幣収納部上から立ち上げられて前記一時保留手段から紙幣収納部上に移動する紙幣をガイドするガイド姿勢との間で揺動する一対の収納レバーと、前記一対の収納レバーとは干渉しない位置で前記一時保留手段側から前記収納レバーの揺動域内に進出可能に設けられる押込み部材と、紙幣収納時に、前記収納レバーをガイド姿勢にして前記一時保留手段から紙幣収納部上に移動する紙幣を受け入れ、前記押込み部材を前記収納レバーの揺動域内に進出させた後に前記収納レバーを押圧姿勢に戻して紙幣を収納レバーの下に取り込み、前記セパレータを収納前の紙幣の上方へ移動させてその紙幣を紙幣収納部内に収納させる制御手段とを具備しているものである。
【０００８】
そして、紙幣収納時に、収納レバーをガイド姿勢とし、一時保留手段から紙幣収納部上に移動する紙幣をガイドする。その後、押込み部材を収納レバーの揺動域内に進出させて紙幣を一時保留手段から紙幣収納部上に確実に押し込み、その状態で収納レバーを押圧姿勢に戻し、紙幣を収納レバーの下に取り込む。その後、セパレータを収納前の紙幣の上方へ移動させることにより、紙幣を紙幣収納部内に収納する。
【０００９】
請求項２記載の紙幣収納装置は、請求項１記載の紙幣収納装置において、紙幣収納部および収納レバーを設けたカセットを備え、収納レバーがガイド姿勢のときにカセットの上端から突出して一時保留手段との間に配置されるものである。
【００１０】
そして、ガイド姿勢となった収納レバーがカセットの上端から突出して一時保留手段との間に配置され、一時保留手段からカセット内の紙幣収納部に移動する紙幣をガイドする。
【００１１】
請求項３記載の紙幣収納装置は、請求項１または２記載の紙幣収納装置において、収納レバーは、押圧姿勢およびガイド姿勢を取る収納レバー部と、この収納レバー部がガイド姿勢を取るときに紙幣収納部上に進出して一時保留手段から紙幣収納部上に移動する紙幣を受け取るとともに収納レバー部が押圧姿勢に戻るときに受け取った紙幣をセパレータ上に移動させる受取レバー部とを有する断面略Ｌ字形に形成されているものである。
【００１２】
そして、収納レバーの収納レバー部がガイド姿勢を取るときに受取レバー部が紙幣収納部上に進出して一時保留手段から紙幣収納部上に移動する紙幣を受け取り、収納レバー部が押圧姿勢に戻るときに受取レバー部に受け取った紙幣を収納レバー部と協働してセパレータ上に移動させ、紙幣を収納レバー部の下に取り込む。
【発明の効果】
【００１３】
請求項１記載の紙幣収納装置によれば、紙幣収納時に、収納レバーをガイド姿勢にすることにより一時保留手段から紙幣収納部上に移動する紙幣を確実にガイドでき、さらに、押込み部材を収納レバーの揺動域内に進出させて紙幣を一時保留手段から紙幣収納部上に確実に押し込み、その状態で収納レバーを押圧姿勢に戻すことにより、紙幣を収納レバーの下に確実に取り込むことができ、したがって、セパレータを収納前の紙幣の上方へ移動させることにより、紙幣を紙幣収納部内に確実に収納させることができる。
【００１４】
請求項２記載の紙幣収納装置によれば、請求項１記載の紙幣収納装置の効果に加えて、収納レバーがガイド姿勢のときにカセットの上端から突出して一時保留手段との間に配置されるので、一時保留手段とカセットとの間に間隙があっても、一時保留手段からカセット内の紙幣収納部に移動する紙幣を確実にガイドできる。
【００１５】
請求項３記載の紙幣収納装置によれば、請求項１または２記載の紙幣収納装置の効果に加えて、収納レバーを収納レバー部と受取レバー部とを有する断面略Ｌ字形に形成したので、収納レバー部がガイド姿勢を取るときに受取レバー部が紙幣収納部上に進出して一時保留手段から紙幣収納部上に移動する紙幣を受け取るとともに、収納レバー部が押圧姿勢に戻るときに受取レバー部に受け取った紙幣を収納レバー部と協働してセパレータ上に移動させ、紙幣を収納レバー部の下に確実に取り込むことができる。
【発明を実施するための最良の形態】
【００１６】
以下、本発明の一実施の形態を図面を参照して説明する。
【００１７】
図１ないし図７に第１の実施の形態を示し、図１は紙幣収納装置の紙幣収納動作を(a)〜(c)の順に説明する説明図、図２は紙幣収納装置の図１に続く紙幣収納動作を(a)〜(c)の順に説明する説明図、図３は紙幣収納装置の図２に続く紙幣収納動作を(a)〜(c)の順に説明する説明図、図４は紙幣収納装置を適用した店舗用売上金入金機の紙幣処理部の構成図、図５は紙幣収納装置の紙幣収納部の平面図、図６は紙幣収納装置の押込み部材の斜視図、図７は紙幣収納装置の制御ブロック図である。
【００１８】
図４において、コンビニエンスストアなどの小売店舗内に設置される店舗用売上金入金機を示し、この店舗用売上金入金機は、売上金（店舗営業に余剰となったもの）を入金して収納し、収納した売上金は例えば売上金の回収業務を委託された警備会社の警備員などの収集特定者により回収して現金処理センタへ移送するようにしていて、売上金の管理を店舗側から警備会社側や現金処理センタ側などに移し、店舗側での売上金の管理責任の負担を軽減させるようにしている。なお、売上金としては紙幣と硬貨との両方が入金可能であるが、ここでは、紙幣の入金についてのみ説明し、硬貨の入金については省略する。
【００１９】
店舗用売上金入金機は、機体11を有し、この機体11内に紙幣を処理する紙幣処理部12が配設されている。機体11内は、店舗側でも開閉可能な上部空間13と、売上金の回収業務を委託された警備会社の警備員などの収集特定者によって開閉可能な下部空間としての金庫14とが、図示しない仕切板などによって仕切られている。
【００２０】
紙幣処理部12は、入金する紙幣を複数枚一括して受け入れ可能とする紙幣入金口18、受け入れた紙幣のうちの不適正であったり識別不能な紙幣などのリジェクト紙幣を返却するリジェクト口19、受け入れた紙幣を収納する前に入金がキャンセルされた場合に受け入れた紙幣を返却する紙幣返却口20を有し、これら紙幣入金口18、リジェクト口19、紙幣返却口20が機体11の上部空間13の前面域に上から順に配設されている。なお、この紙幣処理部12では、紙幣の長手方向を機体11の前後方向に向けて処理する。
【００２１】
機体11の上部空間13内には、紙幣入金口18の後側に配設されていて紙幣入金口18に複数枚一括して挿入される紙幣を一括して受け入れるとともに後方へ向けて１枚ずつ繰り出す紙幣繰出部22、この紙幣繰出部22から１枚ずつ繰り出される紙幣を受け入れて搬送する紙幣搬送路23、この紙幣搬送路23で搬送する紙幣を識別する紙幣識別部24、リジェクト口19の後側に配設されていて紙幣搬送路23から分岐されて送り込まれるリジェクト紙幣を収納するとともにリジェクト口19から取り出し可能とするリジェクト部25、紙幣返却口20の後側に配設されていて紙幣搬送路23から送り込まれる正規の紙幣を一時保留して収納時には紙幣を下方の金庫14側へ移動させるとともに返却時には紙幣返却口20から紙幣を取り出し可能とする一時保留手段26が配設されている。
【００２２】
紙幣繰出部22は、紙幣入金口18から複数枚一括して挿入される紙幣を挟持して紙幣繰出部22内に取り込む一対の取込ローラ28、紙幣繰出部22内に取り込んだ紙幣を紙幣搬送路23へ向けて繰り出す繰出ベルト29、紙幣入金口18から紙幣繰出部22内に紙幣を取り込むときに下降して紙幣を受け取るとともに紙幣繰出部22内から紙幣搬送路23に紙幣を繰り出すときに上昇して紙幣を繰出ベルト29に押し付けるステージ30、繰出ベルト29に対向して逆転し繰出ベルト29で繰り出される紙幣を１枚ずつに規制する逆転ローラ31などを備えている。
【００２３】
リジェクト部25は、紙幣搬送路23で搬送されてくるリジェクト紙幣を羽根車33によって１枚ずつ取り込んで上下方向に集積状態に収納する。リジェクト口19には、開閉可能なカバー34が配置されている。
【００２４】
一時保留手段26は、紙幣を上下方向に集積状態に一時保留する一時保留部36、およびこの一時保留部36の底面を開閉するシャッタ37を有している。一時保留部36の後部側には紙幣搬送路23で搬送されてくる紙幣を１枚ずつ取り込む羽根車38が配置され、一時保留部36の前部側に羽根車38で取り込まれる紙幣の先端側をシャッタ37上に押し付けて集積させるガイドレバー39が上下に揺動可能に配置されている。
【００２５】
また、機体11の金庫14内には、上部空間13の一時保留部36の下方位置に、収集特定者によって着脱可能なカセット41が配設されている。図１ないし図５に示すように、カセット41は、カセット本体42を有し、このカセット本体42内に紙幣Ｐを上下方向に集積状態に収納する紙幣収納部43を形成した紙幣収納枠44が配設されている。なお、紙幣Ｐについては、紙幣収納部43に収納された収納済み紙幣P1と収納前の紙幣P2というように区別しても示す。
【００２６】
紙幣収納部43内には、収納済み紙幣P1を載置する載置板45が上下方向に移動可能でかつ図示しない付勢手段によって上向きに付勢されて配置されている。
【００２７】
紙幣収納部43内には、紙幣Ｐの長手方向の両側端部に対応する両側端部に、載置板45上の収納済み紙幣P1の上面の両側端部を押圧して収納済み紙幣P1と収納前の紙幣P2とを区分けする一対のセパレータ47が上下方向に移動可能に配置され、これら一対のセパレータ47は、紙幣収納枠44の外側に上下方向に移動可能に配置されるセパレータ支持部48によって一体に連結されて上下方向に移動可能としている。紙幣収納枠44の後部側には、上下にプーリ49がそれぞれ回転可能に軸支され、これらプーリ49間にベルト50が張設され、このベルト50にセパレータ支持部48が連結され、ベルト50の回動によってセパレータ支持部48が上下方向に移動する。下側のプーリ49と同軸にカセット本体42の後面に臨んでカップリング51が取り付けられ、このカップリング51は、カセット41を金庫14内に装填した際に金庫14内に配置されたセパレータ用モータ52によって回転駆動されるカップリング53に連結される。したがって、セパレータ用モータ52の駆動により、一対のセパレータ47が上下方向に移動する。
【００２８】
紙幣収納部43の上方位置で、一対のセパレータ47が設けられる両側端部とは異なる側の両側端部に沿って、つまり紙幣Ｐの短手方向の両側端部に沿って軸方向を前後方向とする一対の揺動軸55がカセット本体42の内側に回動可能に取り付けられている。これら各揺動軸55には、一対のセパレータ47とは干渉しない位置であって紙幣Ｐの長手方向の中間位置に対応して、複数に分割された収納レバー56が互いに離間して取り付けられている。
【００２９】
各収納レバー56は、収納レバー部57と受取レバー部58とを有する断面略Ｌ字形に形成され、収納レバー部57の基端であって収納レバー部57と受取レバー部58との交差部が揺動軸55に取り付けられている。そして、揺動軸55の回動により、収納レバー部57が紙幣収納部43上に進出して紙幣Ｐの上面を押圧する押圧姿勢（水平姿勢）と、紙幣収納部43上から立ち上げられて一時保留手段26から紙幣収納部43上に移動する紙幣Ｐをガイドするガイド姿勢（垂直姿勢）との間で揺動する。この収納レバー56がガイド姿勢のときには、収納レバー部57がカセット41の上端から突出して一時保留手段26との間に配置される。
【００３０】
両側の揺動軸55における各収納レバー56の位置は同一位置にあり、各収納レバー56の収納レバー部57の先端には、両側の収納レバー56が押圧姿勢のときに互い違いに重なり合うように切欠部59が形成されている。
【００３１】
各揺動軸55の後部側にはギヤ60が取り付けられ、これらギヤ60間に一対のギヤ61が噛合され、一対の揺動軸55が互いに反対方向に連動して回動するように構成されている。一方の揺動軸55の後端部にはカセット本体42の後面に臨んでカップリング62が取り付けられ、このカップリング62は、カセット41を金庫14内に装填した際に金庫14内に配置された収納レバー用モータ63によって回転駆動されるカップリング64に連結される。したがって、収納レバー用モータ63の駆動により、両側の収納レバー56が押圧姿勢とガイド姿勢との間で揺動する。
【００３２】
また、機体11の上部空間13には、紙幣収納部43の上方位置に、紙幣収納部43の両側の収納レバー56とは干渉しない位置で一時保留手段26側から収納レバー56の揺動域内に進出可能とする押込み部材66が配設されている。図４および図６に示すように、押込み部材66は、両側の収納レバー56とは干渉しない位置に対応して分割された複数の押込み部67，68，69を有し、これら押込み部67，68，69が上部で一体的に連結されている。後側の押込み部67と中央の押込み部68は平板状に設けられ、前側の押込み部69は押込み部68の両側から下方へ向けてロッド状に形成され、一時保留部36のガイドレバー39とも干渉しない位置に設けられている。
【００３３】
押込み部材66は、ガイド軸70に沿って上下方向にスライド可能とするスライド部材71によって支持され、このスライド部材71にはラック72が取り付けられ、このラック72に噛合するピニオン73に押込み部材用モータ74で回転駆動されるギヤ75が噛合されている。したがって、押込み部材用モータ74の駆動により、押込み部材66が上下方向に移動する。
【００３４】
そして、紙幣収納部43の載置板45、セパレータ47および収納レバー56や、一時保留手段26、押込み部材66などで、一時保留手段26で一時保留された紙幣の収納時にその紙幣を紙幣収納部43に収納させる紙幣収納装置77の一部が構成されている。
【００３５】
図７において、紙幣収納装置77を制御する制御手段81は、一時保留手段26のシャッタ37を開閉するシャッタ用モータ82、セパレータ用モータ52、収納レバー用モータ63、押込み部材用モータ74を制御し、紙幣収納時に、収納レバー56をガイド姿勢にして一時保留手段26から紙幣収納部43上に移動する紙幣を受け入れ、押込み部材66を収納レバー56の揺動域内に進出させた後に収納レバー56を押圧姿勢に戻して紙幣を収納レバー56の下に取り込み、セパレータ47を収納前の紙幣の上方へ移動させてその紙幣を紙幣収納部43内に収納させる機能を有している。
【００３６】
次に、図４において店舗用売上金入金機による紙幣の入金動作を説明する。
【００３７】
紙幣入金口18に複数枚一括して挿入された売上金の紙幣Ｐを紙幣繰出部22内に取り込み、この紙幣繰出部22から紙幣搬送路23に１枚ずつ繰り出し、紙幣搬送路23で紙幣Ｐを搬送するとともに紙幣Ｐを紙幣識別部24で識別する。
【００３８】
識別の結果、リジェクト紙幣は、リジェクト部25に送り込んで集積する。このリジェクト部25に送り込まれたリジェクト紙幣は、リジェクト口19から取り出し可能とする。
【００３９】
識別の結果、正規の紙幣Ｐは、一時保留部36に送り込んで、閉状態にあるシャッタ37上に集積して一時保留する。
【００４０】
紙幣入金口18に挿入された全ての紙幣Ｐの識別や一時保留などの処理が完了した後、入金をキャンセル操作がなされた場合には、紙幣返却口20を通じて一時保留部36内に一時保留されている紙幣を取り出し可能とする。
【００４１】
一方、収納操作がなされた場合には、紙幣収納装置77により、一時保留部36内に一時保留されている紙幣を下方の金庫14側へ移動させて紙幣収納部43に収納する。
【００４２】
次に、図１ないし図３において紙幣収納装置77による紙幣収納動作を説明する。
【００４３】
図１(a)に示すように、待機状態では、収納レバー56は押圧姿勢にあって収納レバー部57で紙幣収納部43の上面を閉塞した状態にあり、セパレータ47は収納レバー56の受取レバー部58の揺動域より下方の初期位置にあって収納済み紙幣P1の長手方向の両側端部を下方に押圧している。
【００４４】
図１(b)に示すように、売上金の入金時に、一時保留部36の閉状態にあるシャッタ37上に正規の紙幣P2を送り込んで集積する。
【００４５】
図１(c)に示すように、紙幣P2の一時保留完了後、収納操作がなされた場合、両側の収納レバー56を押圧姿勢からガイド姿勢に揺動させ、収納レバー56の収納レバー部57を垂直状態に立ち上げるとともにカセット41の上端から突出させて一時保留部36の直下位置であって一時保留部36との間の間隙に位置させ、受取レバー部58を紙幣収納部43の上面に水平状態に位置させる。
【００４６】
図２(a)に示すように、一時保留部36のシャッタ37を水平移動させて開放し、一時保留部36内の紙幣P2を下方へ放出させて下方の紙幣収納部43へ移動させる。このとき、収納レバー56の収納レバー部57を垂直状態に立ち上げるとともにカセット41の上端から突出させて一時保留部36の直下位置であって一時保留部36との間の間隙に位置させているため、例えば中間で折れ曲がった折れ紙幣や一時保留部36の側壁に寄りかかるなどの集積状態が悪い紙幣があっても、それら紙幣を含めて一時保留部36から落下する紙幣P2を紙幣収納部43の外に飛び出させることなく紙幣収納部43上に確実に取り込むことができる。紙幣収納部43上に取り込む紙幣P2は、収納レバー56の受取レバー部58上に受け取る。
【００４７】
図２(b)に示すように、押込み部材66を一時保留部36内を通じて下降させ、一時保留部36内の紙幣P2を確実に紙幣収納部43上に押し込む。この押込み部材66は収納レバー56の収納レバー部57の揺動域内まで進出する。
【００４８】
図２(c)に示すように、収納レバー56をガイド姿勢から押圧姿勢に戻し、受取レバー部58上の紙幣P2を、この受取レバー部58と収納レバー部57とで協働して下方へ移動させ、収納レバー部57の下の紙幣収納部43内に取り込む。収納レバー部57の下の紙幣収納部43内に取り込んだ紙幣P2は、セパレータ47上および収納済み紙幣P1上に載る。押圧姿勢にある収納レバー56の収納レバー部57は紙幣収納部43の上面に突出した状態にある。
【００４９】
図３(a)に示すように、セパレータ47を上昇させることにより、収納前の紙幣P2の長手方向の中間位置が収納レバー56の収納レバー部57に当接し、上方に付勢されている載置板45が追従して収納済み紙幣P1を上昇させる。
【００５０】
図３(b)に示すように、収納前の紙幣P2の長手方向の中間位置が収納レバー56の収納レバー部57に当接した後もセパレータ47の上昇を継続させ、セパレータ47が収納前の紙幣P2の長手方向の両側端部を湾曲させながらその上方に移動し、収納前の紙幣P2と収納済み紙幣P1とを合体させる。
【００５１】
図３(c)に示すように、セパレータ47を下方の初期位置まで下降させ、次の紙幣収納動作の待機状態となる。
【００５２】
このように、紙幣収納時に、収納レバー56をガイド姿勢にすることにより一時保留手段26から紙幣収納部43上に移動する紙幣P2を確実にガイドでき、さらに、押込み部材66を収納レバー56の揺動域内に進出させて紙幣P2を一時保留手段26から紙幣収納部43上に確実に押し込み、その状態で収納レバー56を押圧姿勢に戻すことにより、紙幣P2を収納レバー56の下に確実に取り込むことができ、したがって、セパレータ47を収納前の紙幣P2の上方へ移動させることにより、紙幣P2を紙幣収納部43内に確実に収納させることができる。
【００５３】
また、収納レバー56がガイド姿勢のときにカセット41の上端から突出して一時保留手段26との間に配置されるので、一時保留手段26とカセット41との間に間隙があっても、一時保留手段26からカセット41内の紙幣収納部43に移動する紙幣P2を確実にガイドできる。
【００５４】
また、収納レバー56を収納レバー部57と受取レバー部58とを有する断面略Ｌ字形に形成したので、収納レバー部57がガイド姿勢を取るときに受取レバー部58が紙幣収納部43上に進出して一時保留手段26から紙幣収納部43上に移動する紙幣P2を受け取るとともに、収納レバー部57が押圧姿勢に戻るときに受取レバー部58に受け取った紙幣P2を収納レバー部57と協働してセパレータ47上に移動させ、紙幣P2を収納レバー部57の下に確実に取り込むことができる。
【００５５】
次に、図８ないし図１０に第２の実施の形態を説明する。
【００５６】
この第２の実施の形態では、収納レバー56は、収納レバー部57のみを備え、受取レバー部58を備えていない例を示す。なお、これ以外の構成は第１の実施の形態と同様である。
【００５７】
そして、紙幣収納動作について説明する。
【００５８】
図８(a)に示すように、待機状態では、収納レバー56は押圧姿勢にあって収納レバー部57で紙幣収納部43の上面を閉塞した状態にあり、セパレータ47は紙幣収納部43の上面より下方に離反した初期位置にあって収納済み紙幣P1の長手方向の両側端部を下方に押圧している。
【００５９】
図８(b)に示すように、売上金の入金時に、一時保留部36の閉状態にあるシャッタ37上に正規の紙幣P2を送り込んで集積する。
【００６０】
図８(c)に示すように、紙幣P2の一時保留完了後、収納操作がなされた場合、両側の収納レバー56を押圧姿勢からガイド姿勢に揺動させ、収納レバー56の収納レバー部57を垂直状態に立ち上げるとともにカセット41の上端から突出させて一時保留部36の直下位置であって一時保留部36との間の間隙に位置させる。その後、セパレータ47を紙幣収納部43の上端近傍まで上昇させて停止させる。
【００６１】
図９(a)に示すように、一時保留部36のシャッタ37を水平移動させて開放し、一時保留部36内の紙幣P2を下方へ放出させて下方の紙幣収納部43へ移動させる。このとき、収納レバー56の収納レバー部57を垂直状態に立ち上げるとともにカセット41の上端から突出させて一時保留部36の直下位置であって一時保留部36との間の間隙に位置させているため、例えば中間で折れ曲がった折れ紙幣や一時保留部36の側壁に寄りかかるなどの集積状態が悪い紙幣があっても、それら紙幣を含めて一時保留部36から落下する紙幣P2を紙幣収納部43の外に飛び出させることなく紙幣収納部43上に確実に取り込むことができる。紙幣収納部43上に取り込む紙幣P2は、セパレータ47上および収納済み紙幣P1上に載る。
【００６２】
図９(b)に示すように、セパレータ47を紙幣P2が揺動レバー56より下側まで移動する所定の取込位置まで下降させる。また、押込み部材66を一時保留部36内を通じて下降させ、一時保留部36内の紙幣P2を確実に紙幣収納部43上に押し込む。この押込み部材66は収納レバー56の収納レバー部57の揺動域内まで進出する。
【００６３】
図９(c)に示すように、収納レバー56をガイド姿勢から押圧姿勢に戻し、収納レバー部57の下の紙幣収納部43内に紙幣P2を取り込む。押圧姿勢にある収納レバー56の収納レバー部57は紙幣収納部43の上面に突出した状態にある。
【００６４】
図１０(a)に示すように、セパレータ47を上昇させることにより、収納前の紙幣P2の長手方向の中間位置が収納レバー56の収納レバー部57に当接し、上方に付勢されている載置板45が追従して収納済み紙幣P1を上昇させる。
【００６５】
図１０(b)に示すように、収納前の紙幣P2の長手方向の中間位置が収納レバー56の収納レバー部57に当接した後もセパレータ47の上昇を継続させ、セパレータ47が収納前の紙幣P2の長手方向の両側端部を湾曲させながらその上方に移動し、収納前の紙幣P2と収納済み紙幣P1とを合体させる。
【００６６】
図１０(c)に示すように、セパレータ47を下方の初期位置まで下降させ、次の紙幣収納動作の待機状態となる。
【００６７】
このように、紙幣収納時に、収納レバー56をガイド姿勢にすることにより一時保留手段26から紙幣収納部43上に移動する紙幣P2を確実にガイドでき、さらに、押込み部材66を収納レバー56の揺動域内に進出させて紙幣P2を一時保留手段26から紙幣収納部43上に確実に押し込み、その状態で収納レバー56を押圧姿勢に戻すことにより、紙幣P2を収納レバー56の下に確実に取り込むことができ、したがって、セパレータ47を収納前の紙幣P2の上方へ移動させることにより、紙幣P2を紙幣収納部43内に確実に収納させることができる。しかも、収納レバー56の構成を簡略化できる。
【００６８】
なお、紙幣収納装置77は、店舗用売上金入金機に限らず、紙幣入金機などにも適用できる。
【図面の簡単な説明】
【００６９】
【図１】本発明の第１の実施の形態を示す紙幣収納装置の紙幣収納動作を(a)〜(c)の順に説明する説明図である。
【図２】同上紙幣収納装置の図１に続く紙幣収納動作を(a)〜(c)の順に説明する説明図である。
【図３】同上紙幣収納装置の図２に続く紙幣収納動作を(a)〜(c)の順に説明する説明図である。
【図４】同上紙幣収納装置を適用した店舗用売上金入金機の紙幣処理部の構成図である。
【図５】同上紙幣収納装置の紙幣収納部の平面図である。
【図６】同上紙幣収納装置の押込み部材の斜視図である。
【図７】同上紙幣収納装置の制御ブロック図である。
【図８】第２の実施の形態を示す紙幣収納装置の紙幣収納動作を(a)〜(c)の順に説明する説明図である。
【図９】同上紙幣収納装置の図８に続く紙幣収納動作を(a)〜(c)の順に説明する説明図である。
【図１０】同上紙幣収納装置の図９に続く紙幣収納動作を(a)〜(c)の順に説明する説明図である。
【図１１】従来の紙幣収納装置の紙幣収納動作を(a)〜(h)に示す説明図である。
【符号の説明】
【００７０】
26    一時保留手段
41    カセット
43    紙幣収納部
45    載置板
47    セパレータ
55    揺動軸
56    収納レバー
57    収納レバー部
58    受取レバー部
66    押込み部材
77    紙幣収納装置
81    制御手段
P1    収納済み紙幣
P2    収納前の紙幣
【図１】
2006228094.tif 000003
【図２】
2006228094.tif 000004
【図３】
2006228094.tif 000005
【図４】
2006228094.tif 000006
【図５】
2006228094.tif 000007
【図６】
2006228094.tif 000008
【図７】
2006228094.tif 000009
【図８】
2006228094.tif 000010
【図９】
2006228094.tif 000011
【図１０】
2006228094.tif 000012
【図１１】
2006228094.tif 000013